(57)【要約】      （修正有）【課題】ＯＦＦタイマ運転停止時のフィルタ清掃の騒音を小さくする。【解決手段】フィルタ清掃を自動で実施する制御部を有し、あらかじめ設定される複数段階の送りモータの回転数Ｆと複数段階のブラシモータの回転数Ｂを記憶し、積算時間が所定値以上に到達した後、通常運転での運転停止時には、送りモータを回転数Ｆ１で回転すると共に、ブラシモータを回転数Ｂ１で回転して清掃動作を実施し、ＯＦＦタイマによる運転停止には、送りモータをＦ１よりも小さいＦ２の回転数で回転すると共に、ブラシモータをＢ１よりも小さいＢ２の回転数で回転して清掃動作を実施することで、ＯＦＦタイマ運転停止時のフィルタ清掃の騒音を小さくする。【選択図】図２０
2019086226.tif 000002
【特許請求の範囲】
【請求項１】
空気を吸い込む吸込口と空気を吹き出す吹出口とが形成された室内機と、当該室内機内に形成され前記吸込口と前記吹出口とを結ぶ空気通路と、当該空気通路の途中に配置され空気と熱交換する熱交換器と、当該熱交換器で熱交換された空気を前記吹出口から送風する送風ファンと、前記吸込口に設置され空気中の塵埃を捕集するエアフィルタと、当該エアフィルタに付着した塵埃を掻き取るフィルタ清掃手段と、を有し、
前記フイルタ清掃手段は、前記エアフィルタを移動する駆動歯車と、当該駆動歯車を回転する送りモータと、前記エアフィルタの表面に付着した塵埃を取り除くブラシと、当該ブラシを回転するブラシモータと、を有し、
少なくともＯＦＦタイマの使用を選択するタイマスイッチを有したリモコンと、運転積算時間をカウントし、カウントした積算時間が所定値以上となったら、前記フィルタ清掃手段を自動的に駆動させる自動清掃動作を実施する制御部と、を有し、
前記制御部は、あらかじめ設定される複数段階の前記送りモータの回転数Ｆと複数段階の前記ブラシモータの回転数Ｂを記憶し、
前記積算時間が所定値以上に到達した後、通常運転での運転停止時には、前記送りモータを回転数Ｆ１で回転すると共に、前記ブラシモータを回転数Ｂ１で回転して清掃動作を実施し、
前記ＯＦＦタイマによる運転停止には、前記送りモータをＦ１よりも小さいＦ２の回転数で回転すると共に、前記ブラシモータをＢ１よりも小さいＢ２の回転数で回転して清掃動作を実施することを特徴とした空気調和機。
【請求項２】
空気を吸い込む吸込口と空気を吹き出す吹出口とが形成された室内機と、当該室内機内に形成され前記吸込口と前記吹出口とを結ぶ空気通路と、当該空気通路の途中に配置され空気と熱交換する熱交換器と、当該熱交換器で熱交換された空気を前記吹出口から送風する送風ファンと、前記吸込口に設置され空気中の塵埃を捕集するエアフィルタと、当該エアフィルタに付着した塵埃を掻き取るフィルタ清掃手段と、を有し、
前記フイルタ清掃手段は、前記エアフィルタを移動する駆動歯車と、当該駆動歯車を回転する送りモータと、前記エアフィルタの表面に付着した塵埃を取り除くブラシと、当該ブラシを回転するブラシモータと、を有し、
少なくともＯＦＦタイマの使用を選択するタイマスイッチを有したリモコンと、運転積算時間をカウントし、カウントした積算時間が所定値以上となったら、前記フィルタ清掃手段を自動的に駆動させる自動清掃動作を実施する制御部と、を有し、
前記制御部は、あらかじめ設定される複数段階の前記送りモータの回転数Ｆと複数段階の前記ブラシモータの回転数Ｂを記憶し、
前記積算時間が所定値以上に到達した後、通常運転での運転停止時には、前記送りモータを回転数Ｆ１で回転すると共に、前記ブラシモータを回転数Ｂ１で回転して清掃動作を実施し、
前記ＯＦＦタイマによる運転停止には、前記送りモータをＦ１よりも小さいＦ２の回転数で回転すると共に、前記ブラシモータを回転数Ｂ１で回転して清掃動作を実施
することを特徴とした空気調和機。
【請求項３】
空気を吸い込む吸込口と空気を吹き出す吹出口とが形成された室内機と、当該室内機内に形成され前記吸込口と前記吹出口とを結ぶ空気通路と、当該空気通路の途中に配置され空気と熱交換する熱交換器と、当該熱交換器で熱交換された空気を前記吹出口から送風する送風ファンと、前記吸込口に設置され空気中の塵埃を捕集するエアフィルタと、当該エアフィルタに付着した塵埃を掻き取るフィルタ清掃手段と、を有し、
前記フイルタ清掃手段は、前記エアフィルタを移動する駆動歯車と、当該駆動歯車を回転する送りモータと、前記エアフィルタの表面に付着した塵埃を取り除くブラシと、当該ブラシを回転するブラシモータと、を有し、
少なくともＯＦＦタイマの使用を選択するタイマスイッチを有したリモコンと、運転積算時間をカウントし、カウントした積算時間が所定値以上となったら、前記フィルタ清掃手段を自動的に駆動させる自動清掃動作を実施する制御部と、を有し、
前記制御部は、あらかじめ設定される複数段階の前記送りモータの回転数Ｆと複数段階の前記ブラシモータの回転数Ｂを記憶し、
前記積算時間が所定値以上に到達した後、通常運転での運転停止時には、前記送りモータを回転数Ｆ１で回転すると共に、前記ブラシモータを回転数Ｂ１で回転して清掃動作を実施し、
前記ＯＦＦタイマによる運転停止には、前記送りモータを回転数Ｆ１で回転すると共に、前記ブラシモータをＢ１よりも小さいＢ２の回転数で回転して清掃動作を実施することを特徴とした空気調和機。
【請求項４】
前記エアフィルタと当該エアフィルタに対応する前記フイルタ清掃手段を複数セット備え、
前記制御部は、前記複数セットの清掃動作を同時に実施せずに、１セットの清掃動作終了後に、順次清掃動作を実施することを特徴とした請求項１から３のいずれか１項に記載の空気調和機。
【発明の詳細な説明】
【技術分野】
【０００１】
この発明は、エアフィルタの自動清掃機能を備えた空気調和機に関するものである。
【背景技術】
【０００２】
従来、この種のものでは、空気の吸込口に空気中の塵埃を捕集するエアフィルタを設置した室内機において、エアフィルタの塵埃を掻き取って清掃するフィルタ清掃手段を有し、あらかじめ設定されたオートクリーン動作積算時間に達した時点でフィルタ清掃手段を駆動する自動清掃モードと、リモコンの操作によってフィルタ清掃手段を任意の時点で駆動する手動清掃モードとを備え、オートクリーン動作積算時間がリモコンにより任意に設定可能であり、当該空気調和機の運転が切りタイマのタイムアップにより停止された場合には、その時点で積算時間が所定値となって自動清掃モードの条件が整ったとしても、自動清掃モードの実行を禁止するようにしている。これによって、就寝する際に切りタイマを設定しても就寝中にフィルタの清掃が自動で開始されず、安眠が阻害されることがない。（例えば、特許文献１）
【先行技術文献】
【特許文献】
【０００３】
【特許文献１】特開２００５−１９５２４０号公報
【発明の概要】
【発明が解決しようとする課題】
【０００４】
しかし、この従来のものでは、一般家庭の寝室等に据え付けられ、空気調和機の使用は就寝前のみであり、常におやすみタイマを使用し続けた場合には、エアフィルタを自動清掃する積算時間（オートクリーン動作積算時間）が満了した後も、常におやすみタイマでの運転停止が継続するために、自動清掃モードの実行禁止の状態が長時間継続されることで、せっかく備えているエアフィルタの自動清掃機能を有効に活用できないだけでなく、自動清掃の積算時間を大幅に超えて空気調和機を運転することでエアフィルタに想定以上の量の塵埃が付着し、想定以上の量の塵埃が付着した状態でフィルタ清掃運転を行った場合には、フィルタ清掃装置を構成するブラシや歯車等に塵埃が絡みやすくなることで、フィルタ清掃装置の故障が発生するおそれがあった。
【課題を解決するための手段】
【０００５】
上記課題を解決するために、本発明の請求項１では、空気を吸い込む吸込口と空気を吹き出す吹出口とが形成された室内機と、当該室内機内に形成され前記吸込口と前記吹出口とを結ぶ空気通路と、当該空気通路の途中に配置され空気と熱交換する熱交換器と、当該熱交換器で熱交換された空気を前記吹出口から送風する送風ファンと、前記吸込口に設置され空気中の塵埃を捕集するエアフィルタと、当該エアフィルタに付着した塵埃を掻き取るフィルタ清掃手段と、を有し、前記フイルタ清掃手段は、前記エアフィルタを移動する駆動歯車と、当該駆動歯車を回転する送りモータと、前記エアフィルタの表面に付着した塵埃を取り除くブラシと、当該ブラシを回転するブラシモータと、を有し、少なくともＯＦＦタイマの使用を選択するタイマスイッチを有したリモコンと、運転積算時間をカウントし、カウントした積算時間が所定値以上となったら、前記フィルタ清掃手段を自動的に駆動させる自動清掃動作を実施する制御部と、を有し、前記制御部は、あらかじめ設定される複数段階の前記送りモータの回転数Ｆと複数段階の前記ブラシモータの回転数Ｂを記憶し、前記積算時間が所定値以上に到達した後、通常運転での運転停止時には、前記送りモータを回転数Ｆ１で回転すると共に、前記ブラシモータを回転数Ｂ１で回転して清掃動作を実施し、前記ＯＦＦタイマによる運転停止には、前記送りモータをＦ１よりも小さいＦ２の回転数で回転すると共に、前記ブラシモータをＢ１よりも小さいＢ２の回転数で回転して清掃動作を実施するようにしたものである。
【０００６】
また、請求項２では、空気を吸い込む吸込口と空気を吹き出す吹出口とが形成された室内機と、当該室内機内に形成され前記吸込口と前記吹出口とを結ぶ空気通路と、当該空気通路の途中に配置され空気と熱交換する熱交換器と、当該熱交換器で熱交換された空気を前記吹出口から送風する送風ファンと、前記吸込口に設置され空気中の塵埃を捕集するエアフィルタと、当該エアフィルタに付着した塵埃を掻き取るフィルタ清掃手段と、を有し、前記フイルタ清掃手段は、前記エアフィルタを移動する駆動歯車と、当該駆動歯車を回転する送りモータと、前記エアフィルタの表面に付着した塵埃を取り除くブラシと、当該ブラシを回転するブラシモータと、を有し、少なくともＯＦＦタイマの使用を選択するタイマスイッチを有したリモコンと、運転積算時間をカウントし、カウントした積算時間が所定値以上となったら、前記フィルタ清掃手段を自動的に駆動させる自動清掃動作を実施する制御部と、を有し、前記制御部は、あらかじめ設定される複数段階の前記送りモータの回転数Ｆと複数段階の前記ブラシモータの回転数Ｂを記憶し、前記積算時間が所定値以上に到達した後、通常運転での運転停止時には、前記送りモータを回転数Ｆ１で回転すると共に、前記ブラシモータを回転数Ｂ１で回転して清掃動作を実施し、前記ＯＦＦタイマによる運転停止には、前記送りモータをＦ１よりも小さいＦ２の回転数で回転すると共に、前記ブラシモータを回転数Ｂ１で回転して清掃動作を実施するようにしたものである。
【０００７】
また、請求項３では、空気を吸い込む吸込口と空気を吹き出す吹出口とが形成された室内機と、当該室内機内に形成され前記吸込口と前記吹出口とを結ぶ空気通路と、当該空気通路の途中に配置され空気と熱交換する熱交換器と、当該熱交換器で熱交換された空気を前記吹出口から送風する送風ファンと、前記吸込口に設置され空気中の塵埃を捕集するエアフィルタと、当該エアフィルタに付着した塵埃を掻き取るフィルタ清掃手段と、を有し、前記フイルタ清掃手段は、前記エアフィルタを移動する駆動歯車と、当該駆動歯車を回転する送りモータと、前記エアフィルタの表面に付着した塵埃を取り除くブラシと、当該ブラシを回転するブラシモータと、を有し、少なくともＯＦＦタイマの使用を選択するタイマスイッチを有したリモコンと、運転積算時間をカウントし、カウントした積算時間が所定値以上となったら、前記フィルタ清掃手段を自動的に駆動させる自動清掃動作を実施する制御部と、を有し、前記制御部は、あらかじめ設定される複数段階の前記送りモータの回転数Ｆと複数段階の前記ブラシモータの回転数Ｂを記憶し、前記積算時間が所定値以上に到達した後、通常運転での運転停止時には、前記送りモータを回転数Ｆ１で回転すると共に、前記ブラシモータを回転数Ｂ１で回転して清掃動作を実施し、前記ＯＦＦタイマによる運転停止には、前記送りモータを回転数Ｆ１で回転すると共に、前記ブラシモータをＢ１よりも小さいＢ２の回転数で回転して清掃動作を実施するようにしたものである。
【０００８】
また、請求項４では、前記エアフィルタと当該エアフィルタに対応する前記フイルタ清掃手段を複数セット備え、前記制御部は、前記複数セットの清掃動作を同時に実施せずに、１セットの清掃動作終了後に、順次清掃動作を実施するようにしたものである。
【発明の効果】
【０００９】
この発明のによれば、通常のフィルタ清掃運転に比較して、ブラシの回転速度が落ちることで、エアフィルタに付着した塵埃を掻き落とす力は小さくなるが、清掃時間が２倍の長さになるので、エアフィルタに付着した塵埃を除去する能力は、ほとんど変化させずに、ＯＦＦタイマ運転停止時のフィルタ清掃運転の騒音を小さくでき、騒音によって安眠を妨げることを防止する。
【００１０】
また、ＯＦＦタイマ運転時にエアフィルタを自動清掃する積算時間満了した場合でも、タイマ運転停止時に確実にエアフィルタの自動清掃を実施するので、エアフィルタに過大な量の塵埃が付着した状態で自動清掃を実施することで発生するフィルタ清掃装置の故障を防止する。
【００１１】
また、請求項２によれば、通常のフィルタ清掃運転に比較して、ブラシの回転速度は落ちるが、清掃時間は通常と同じなので、除去能力は低下するが、ＯＦＦタイマ運転停止時のフィルタ清掃運転の騒音を小さくでき、通常運転と同じ時間でフィルタ清掃運転を速やかに終了することができ、騒音によって安眠を妨げることを防止する。
【００１２】
また、請求項３によれば、通常のフィルタ清掃運転に比較して、ブラシの回転速度は通常と同じで、清掃時間が通常の２倍になるが、ＯＦＦタイマ運転停止時のフィルタ清掃運転の騒音を小さくでき、通常運転より長い時間清掃をすることで丁寧な清掃をすることができる。
【００１３】
また、請求項４によれば、複数セットの清掃動作を同時に実施せずに、１セットの清掃動作終了後に、順次清掃動作を実施することで、全体のエアフィルタの清掃時間は長くなるが、複数セットの清掃動作が重複することで騒音が大きくなることを防止することができる。
【図面の簡単な説明】
【００１４】
【図１】この発明一実施形態を示す斜視図
【図２】同実施形態の側面視断面図
【図３】同実施形態の展開斜視図
【図４】同実施形態のユニット枠の平面図
【図５】同実施形態のユニット枠の右側面図
【図６】同実施形態の図４に示すＡ−Ａ断面図
【図７】同実施形態のブラシの正面図
【図８】同実施形態のフィルタ駆動部の正面図
【図９】同モータユニットの展開斜視図
【図１０】同実施形態の背面板の正面図
【図１１】同実施形態の図１０に示すＢ−Ｂ断面図
【図１２】同実施形態のフィルタ案内板の正面図
【図１３】同実施形態の図１２に示すＣ−Ｃ断面図
【図１４】同実施形態の後板の斜視図
【図１５】同実施形態の後板の断面図
【図１６】同実施形態の前面カバーの斜視図
【図１７】同実施形態の前面カバーの断面図
【図１８】同実施形態のエアフィルタの正面図
【図１９】同実施形態の制御ブロック図
【図２０】同実施形態のフィルタ清掃動作を説明するフローチャート
【図２１】他の実施形態の送りモータの回転数とブラシモータの回転数を説明する図
【図２２】同実施形態の騒音と清掃時間と塵埃除去能力を説明する図
【発明を実施するための形態】
【００１５】
次に、この発明の空気調和機の一実施形態について説明する。
１はセパレート式空気調和機の室内機で、背面板２と後板３と前面カバー４とオープンパネル５で外枠６を形成し、前記前面カバー４の前面に位置する前記オープンパネル５上部左右に設けた支軸（図示せず）を支点として前面カバー４の前方へ開閉自在に取付られる。
【００１６】
７は前面カバー４の上面にあり横長格子状の吸込口、８は前面カバー４の下方から底面にあり斜め前方に温度調節された空気を吹き出す横長の吹出口であり、吸込口７から吹出口８の間に空気通路９を形成している。
この空気通路９の吸込口７の内側には、吸込空気内に含まれる塵埃を取り除く左右一対のエアフィルタ１０を有し、このエアフィルタ１０の更に内側（下流側）には、横長のフィンチューブ式の熱交換器１１を有し、その前後方向の中間部を頂部として側面視で逆Ｖ字状に配置されている。
【００１７】
また、前記熱交換器１１の下方には、横長のクロスフローファンから成る送風ファン１２が備えられ、前記吹出口８には、運転時に上下方向の吹出風の風向を調整すると共に停止時には自動的に吹出口８を閉じる上下風向板１３と、左右方向の吹出風の風向を調整する左右風向板１４とが備えられている。
【００１８】
１５はブラシユニットで、当該ブラシユニット１５は、横長格子状の縦桟１６と横桟１７とで形成されたユニット枠１８と、当該ユニット枠１８の先端にありエアフィルタ１０に付着した塵埃を掻き取るブラシ１９と、エアフィルタ１０を背面側に移動させるフィルタ駆動部２０とで構成されている。  
【００１９】
前記ユニット枠１８は、後側の両端に突出する左右端部２１を有し、当該左右端部２１にそれぞれブラシ取付孔２２が形成され、当該ブラシ取付孔２２にブラシ１９の回転軸２３を挿入することで、ブラシ１９はブラシ取付孔２２を軸にして回転可能となる。
【００２０】
２４は左右端部２１のブラシ取付孔２２よりも前方で左右外側にある一対のスライド突起であり、ブラシユニット１５着脱時のガイドとして使用し、２５は縦桟１６の前端外側にある左右一対の係止突起であり、ブラシユニット１５装着時のストッパとして使用し、２６は前記縦桟１６のスライド突起２４よりも更に前方あるフィルタ駆動部取付孔である。
また、２７は左右の縦桟１６の内側面にありエアフィルタ１０が移動する際にガイドの役目をするスライド溝２７であり、２８は前記ブラシ１９の両端にありブラシ１９に回転力を伝えるブラシ歯車である。
【００２１】
前記フィルタ駆動部２０は、アルミニウム製の棒から成る駆動軸２９と、当該駆動軸２９の両端に貫通固定した一対の駆動歯車３０とで構成され、駆動歯車３０よりも外側に駆動軸２９が突出してフィルタ駆動部取付孔２６に挿入することでフィルタ駆動部２０はフィルタ駆動部取付孔２６を軸に回転する。
【００２２】
４０はモータユニットであり、当該モータユニット４０は、ブラシ１９を回転駆動させるブラシモータ４１と、フィルタ駆動部２０を回転駆動させる送りモータ４２とで構成されており、ブラシモータ４１と送りモータ４２とは正逆回転可能なステップモータを使用し、制御部４３からの信号に応じてブラシ１９とフィルタ駆動部２０とを作動させ、エアフイルタ１０の清掃を実施する。
【００２３】
４４はモータ取付板であり、一方の側面にブラシモータ４１と送りモータ４２をネジ止めし、モータ軸４５、４６と他方の側面に備えた連動ギア４７、４８をモータ取付板４４の貫通孔４９、５０で貫通して接続する。
５１はギアカバーであり、前記連動ギア４７、４８を覆うと共に軸孔５２、５３を備え、前記貫通孔４９、５０と軸孔５２、５３の間に連動ギア４７、４８を回動自在に保持する。  ギアカバー５１は、モータ取付板４４の端部に設けた爪部５４と係止部５５とで係止してモータ取付板４４に取り付けられ、モータユニット４０は前記背面板２の上部左右端にネジ止めするための固定孔５６を有している。
モータユニット４０は１つのエアフィルタ１０に対して１セット備えられ、右側に配置されたエアフィルタ１０に対応するモータユニット４０の構成は、先に説明した構成と対称形となる右側配置用のモータユニット４０を有している。
【００２４】
前記背面板２は室内機１の最後部を構成し、背面板２には、上部に室内の壁面に取り付けるための据付板（図示せず）に係止するための係止凹部７０と、下部に据付板に爪引っ掛けで固定するための爪部７１とを有している。
また、背面板２には、前記ブラシユニット１５とモータユニット４０側から落下してくる塵埃を下方に送るダストシュータ７２（第２空間）の後面７３と、当該後面７３の前方側に垂直に立設する複数の側壁７４とが形成されている。
【００２５】
前記側壁７４の左側上部と背面板２の左側外枠７５の間には前記モータユニット４０を取り付け可能な左モータユニット取付部７６が形成されており、組み付け工程時にモータユニット４０を取り付けて、モータ取付板４４の固定孔５６にネジ止め固定する。
また、右端の側壁７４の右側上部で右側外枠７７との間には右モータユニット取付部７８が設けられており、モータユニット４０と同様にネジ止めによって固定する。
また、後面７３の中央稍上部には、４つの円柱が立設されたフィルタ案内板７９を固定する固定用円柱８０が形成されている。
【００２６】
前記フィルタ案内板７９の中央稍上部には前記固定用円柱８０に対向する固定孔８１が左右一対備えられ、フィルタ案内板７９を背面板２にネジ止め固定し、フィルタ案内板７９の背面は前記ダストシュータ７２（第２空間）の前面８２を形成しており、当該前面８２と後面７３の間をエアフィルタ１０から掻き取られた塵埃が落下する。
【００２７】
８３は前記フィルタ案内板７９の上端と平行となるように設置されたクシ歯であり、クシ歯８３の先端がブラシ１９に食い込むことで、エアフィルタ１０から掻き取りブラシ１９に付着した塵埃をブラシ１９から分離してダストシュータ７２側へ落とす。
クシ歯８３は、先端をブラシ１９の回転軸２３の方向に向かって突出し、ブラシ１９の毛量や剛性に応じてブラシ１９に食い込むクシ歯８３の量について、ブラシ１９とクシ歯８３の距離を変化させることで調整できる。８４は前記フィルタ案内板７９の左右端にあり後板３方向へ突出する側板であり、フィルタ清掃の時にエアフィルタ１０の左右端がスライド可能な案内溝８５を有しており、フイルタ清掃の時には後板３とフィルタ案内板７９の間の空間であるフィルタ経路８６（第１空間）内をフィルタ１０が上下方向に摺動する。
【００２８】
前記後板３の上部には、ブラシユニット１５を取り付けるためのコの字状の開口部８７を２つ形成し、当該開口部８７の左右内側面には、ブラシユニット１５のスライド突起２４を案内する溝８８が形成されている。８９は後部ドレンパンであり、上方に前記熱交換器１１の後部が配置されることで、冷房運転時には熱交換器１１後部から発生する結露水を集積排水する。９０はケーシングであり、前方には所定の空間を隔てて前記送風ファン１２を備えている。送風ファン１２は横長円柱状で多数の羽根を有するクロスフロー型のファンで、ケーシング９０の左側面９１に取り付ける軸受け（図示せず）と、ケーシング９０の右側面９２の右側に取り付けられる送風モータ９３の回動軸９４との間で垂直方向に回転する。９５は左右端部と中央の上下等に備える取付孔であり、背面板２に立設した取付リブ９６等に取付孔９５を貫通してネジ止め固定する。９７は後板３上面の左右に備えた一対の前面カバー取付片であり、先端部には上方向に係止用の突起９８が形成されている。
【００２９】
９９は前部ドレンパンであり、上方に前記熱交換器１１の前部が配置されることで、冷房運転時には熱交換器１１前部から発生する結露水を集積排水する。また、前部ドレンパン９９の左右端には取付脚（図示せず）が備えられ、当該取付脚を後板３に嵌め込むことで後板３に取り付けられる。
【００３０】
１００はダストボックスで、後板３の底面で前記ダストシュータ７２の下部に備える塵埃排出口１０１に下方から図示しない把手を掴むことで着脱自在となるように設置する。  なお、ダストボックス１００は、１年間のフィルタ清掃で発生した塵埃が溢れ出すことなく溜めることが十分に可能な容量を備えている。１０２は後板３下部に設けた前面カバー取付孔で、前面カバー４の下部をネジ止め固定する。
【００３１】
前記前面カバー４は、左側板１１０と右側板１１１の間の上面を繋ぐ上フレーム１１２と、底面を繋ぐ下フレーム１１３と、前面中央より稍下方を繋ぐ前フレーム１１４と、左右方向の略中央で上フレーム１１２と前フレーム１１４を垂直に接続する中央フレーム１１５とを備えている。左側板１１０と中央フレーム１１５の上部内側には、後板３の溝８８と連続する溝１１６と、当該溝１１６の前方にコの字型係止部１１７とが形成され、この溝８８、１１６によってブラシユニット１５のスライド突起２４を案内し、ブラシユニット１５が最後部に突き当たった状態で下方に引き下ろすことで、ブラシユニット１５の係止突起２５がコの字型係止部１１７に嵌り込み、ブラシユニット１５がセットされる。
【００３２】
１１８は前記溝１１６の下方に備えたフィルタ溝で、ユニット枠１８のスライド溝２７に連続して接続され前記エアフィルタ１０の左右端部を保持する。
フィルタ溝１１８の下端にはフィルタ挿入部１１９が形成され、方形状で柔軟性を有するエアフィルタ１０をフィルタ挿入部１１９から差し込み、エアフィルタ１０の先端がブラシ１９とフィルタ駆動部２０の位置まで移動させることで、エアフィルタ１０が通常運転時の位置にセットされる。
１２０は左側板１１０と右側板１１１の上面に貫通して設けた取付孔で、前記後板３の前面カバー取付片９７先端の突起９８が係止して前面カバー４上部を固定する。前面カバー４上部を係止後に前面カバー４下部を下部取付孔（図示せず）で後板３にネジ止め固定する。前フレーム１１４と下フレーム１１３の間には前記吹出口８が形成され、吹出口８の左右方向の略中央には前フレーム１１４と下フレーム１１３を垂直に補強する補強フレーム１２１を備え、吹出口８下部の下フレーム１１３には回動自在に取り付けられた左右風向板１４を有している。また、吹出口８の側壁１２３には回動自在に上下風向板１３を有している。
【００３３】
前記エアフィルタ１０には、方形状で多数の縦桟１２２と横桟１２３に樹脂製の網１２４が溶着して設けられ、両端の縦桟１２２にフィルタ駆動部２０の駆動歯車３０と噛み合うラック１２５が形成されている。
この構成により、フィルタ清掃時には駆動歯車３０の回転によりフィルタ１０が駆動歯車３０とブラシ１９の間を通過してフィルタ案内板７９の方向に送られる。また、駆動歯車３０とブラシ１９の間を通過する際にはエアフィルタ１０の表面に付着した塵埃をブラシ１９で掻き取って除去する。
そして、フィルタ清掃手段は、前記ラック１２５に係合してフイルタ１０をフイルタ案内板７９側へ送る駆動歯車３０と、駆動歯車３０を回転させる送りモータ４２と、フイルタ１０の表面に付着した塵埃を掻き取って除去するブラシ１９と、ブラシ１９を回転するブラシモータ４１と、ブラシ１９に付着した塵埃をダストシュータ側へ掻き落とすクシ歯８３と、で構成される。
【００３４】
前記オープンパネル５は、前面カバ−４の上部左右両端に備えた一対の係止軸（図示せず）に対向して係止部（図示せず）を中心に回動自在に設け、オープンパネル５の下部両端は前面カバ−４の前フレーム１１４に係止して固定される。
【００３５】
前記制御部４３について詳述すると、入力側には、室内の温度を検知する室温センサ１２６と、吸込口７付近に設置され室内の湿度を検知する湿度センサ１２７と、熱交換器１１の温度を検知する熱交センサ１２８と、前記フィルタ案内板７９のフィルタ経路８６（第１空間）に配置されエアフィルタ１０の位置をＯＮ／ＯＦＦ状態で検知するマイクロスイッチで構成されたフイルタセンサ１２９と、で検知された各種情報が電気信号で入力されるよう配線が接続されている。
また、出力側には、送風ファン１２を所定の回転数で回転駆動させる送風モータ１３０と、上下風向板１３の位置を動作させる上下風向モータ１３１と、左右風向板１４の位置を動作させる左右風向モータ１３２と、ブラシ１９を回転駆動させるブラシモータ４１と、フィルタ駆動部２０を回転駆動させる送りモータ４２と、に所定の指示が出力されるよう配線が接続されている。
【００３６】
また、前記制御部４３には、運転積算時間をカウントして記憶するメモリＴ１３３と、カウントした積算時間が所定値以上となったら、フィルタ清掃手段を自動的に駆動させる自動清掃部１３４と、あらかじめ設定される複数段階の送りモータ４２の回転数Ｆと複数段階の前記ブラシモータ４１の回転数Ｂを記憶するメモリＭ１３５を有している。
【００３７】
１４０は無線通信で制御部４３へ信号を送信するリモコンであり、当該リモコン１４０には、空気調和機の運転や停止を行う運転スイッチ（図示せず）や、吹出口８から温風を吹き出すことで室内を加熱する暖房運転と、吹出口８から冷風を吹き出すことで室内を冷却する冷房運転とを切り替え可能な運転モードスイッチ（図示せず）や、各運転モードにおける風量について、自動、微風、弱風、強風から選択可能な風量スイッチ（図示せず）とが備えられいる。
また、前記リモコン１４０には清掃動作を自動で実施するかどうかを選択する自動清掃スイッチ１４１と、空気調和機の運転を予め設定された時間後に停止するＯＦＦタイマ（おやすみタイマ）や設定された時間後に運転を開始するＯＮタイマ（おはようタイマ）を選択して始動するタイマスイッチ１４２を備え、リモコン１４０から送信される指示信号に応じて制御部４３が室内機１内の各種アクチュエータを適切に制御する。
【００３８】
（エアフィルタ清掃時の動作）
次に、フィルタ清掃手段によりエアフィルタ１０の清掃を実施するときにおける各部の動作内容について詳述する。
冷房運転あるいは暖房運転の停止指示が出されたときに自動清掃スイッチ１４１によってエアフィルタ１０の自動清掃動作が許可されており、かつ自動清掃部１３４による積算時間が所定値以上の条件が満たされているか、あるいは、手動でのエアフィルタ１０の自動清掃動作が指示されたら、制御部４３は、ブラシモータ４１をＢ１（約６．０ｒｐｍ）の回転数で、送りモータ４２をＦ１（約５．０ｒｐｍ）の回転数で、駆動を開始させ、ブラシ１９とフィルタ駆動部２０を回転駆動させる。
【００３９】
これにより、送りモータ４２が回転駆動することでエアフィルタ１０のラック１２５が噛み合い、エアフィルタ１０が後方のフィルタ経路８６（第１空間）側に徐々に約１．３ｍｍ／ｓの速度で引き込まれ、ブラシ１９が回転駆動することでエアフィルタ１０の上面側に集積した塵埃が掻き取られる。
そして、ブラシ１９に付着した塵埃は、フィルタ案内板７９のクシ歯８３によりダストシュータ７２側に掻き落とされダストボックス１００に集積捕集される。
【００４０】
その後、エアフィルタ１０の先端がフィルタ経路８６の下端付近に配置されたフィルタセンサ１２９の位置に到達し、フィルタセンサ１２９がＯＮ信号を出力したと制御部４３が判断したら、制御部４３は、送りモータ４２の回転方向を反転させて駆動させることで、エアフィルタ１０を前面カバー４のフィルタ挿入部１１９側へ戻す。
この時、ブラシモータ４１の回転方向は変化しないため、ブラシ１９やクシ歯８３に付着した塵埃がエアフィルタ１０側へ再度付着しない。
【００４１】
フィルタセンサ１２９でＯＮ信号が出力され送りモータ４２の回転方向が反転された後、制御部４３は、送りモータ４２の回転方向を反転させてからカウントした送りモータ４２のステップ数が所定値に達したと判断したら、エアフィルタ１０が清掃動作開始前の位置に戻ったとして送りモータ４２の反転駆動を停止し、エアフィルタ１０が所定の往復回数だけフィルタ経路８６を通過したと判断したら、ブラシモータ４１と送りモータ４２の駆動を停止させエアフィルタ１０の清掃動作を終了する。
【００４２】
以上のようにエアフィルタ１０の清掃動作が定期的に実施されることで、エアフィルタ１０に多量の塵埃が付着したまま冷房運転や暖房運転が継続して実施されることがなく、エアフィルタ１０の空気の流通性を良好な状態に保持することができるため、冷房、暖房運転時に設定された風量通りに室内へ送風することができ、使用者の使用感を損ねることがない。
【００４３】
また、エアフィルタ１０の清掃動作が実施されてから数ヶ月から一年経過したことで、ダストボックス１００内の塵埃を捨てるときは、後板３の塵埃排出口１０１からダストボックス１００の把手を握って下方へ引くことで、簡易にダストボックス１００を取り外すことが可能なので、オープンパネル５を開放することなくダストボックス１００内の塵埃の除去が可能であり、使用者の使い勝手がよい。
【００４４】
（ＯＦＦタイマによる運転停止時のエアフィルタ清掃動作）
次に、第１の実施例におけるＯＦＦタイマによる運転停止時のエアフィルタ１０の自動清掃動作の流れについて、図２０のフローチャートに基づき詳述する。
まず、ｓｔ１に於いて、空気調和機が現在運転中である。次に、ｓｔ２にて制御部４３は、リモコン１４０の手動操作または、ＯＦＦタイマによる空気調和機の運転停止信号を検知してｓｔ３に進む。次に、ｓｔ３では自動清掃スイッチ１４１によってエアフィルタ１０の自動清掃動作が許可されており、かつ自動清掃部１３４による積算時間が所定値以上の条件が成立しているかを判断し、Ｎｏであればそのままｓｔ７に進んで空気調和機は停止する。
【００４５】
ｓｔ３でＹｅｓであれば、ｓｔ４に進んで現在の運転がＯＦＦタイマでの停止かを判断し、Ｎｏで通常運転による停止の場合にはｓｔ６に進んで、前記で説明したように、制御部４３は、ブラシモータ４１をＢ１（約６．０ｒｐｍ）の回転数で、送りモータ４２をＦ１（約５．０ｒｐｍ）の回転数で、駆動を開始させ、ブラシ１９とフィルタ駆動部２０を回転駆動させ清掃運転を実施後ｓｔ７に進んで停止する。
【００４６】
ｓｔ４にて現在の運転がＯＦＦタイマでの停止である場合には、ｓｔ５に進んで、制御部４３は、ブラシモータ４１をＢ１よりも低いＢ２（約３．０ｒｐｍ）の回転数で、送りモータ４２をＦ１よりも低いＦ２（約２．５ｒｐｍ）の回転数で、清掃運転を行うことで、騒音を小さくでき、騒音によって安眠を妨げることを防止する。清掃運転終了後にｓｔ７に進んで停止する。この第１の実施例では通常のフィルタ清掃運転に比較して、ブラシの回転速度は落ちることで、エアフィルタに付着した塵埃を掻き落とす力は小さくなるが、清掃時間が２倍の長さになるので、エアフィルタに付着した塵埃を除去する能力は、ほとんど変化させずに、ＯＦＦタイマ運転停止時のフィルタ清掃運転の騒音を小さくすることができる。
また、ＯＦＦタイマ運転時にエアフィルタ１０を自動清掃する積算時間が満了した場合でも、タイマ運転停止時に確実にエアフィルタ１０の自動清掃を実施するので、エアフィルタ１０に過大な量の塵埃が付着した状態で自動清掃を実施することで発生するフィルタ清掃装置の故障を防止する。
【００４７】
次に、第２から４の実施例におけるＯＦＦタイマによる運転停止時のエアフィルタ１０の自動清掃動作について、図２１、２２に基づき詳述する。
第２から４の実施例では図２０のフローチャート図のｓｔ５におけるブラシモータ４１の回転数Ｂと送りモータ４２の回転数Ｆの設定が異なるもので、第２の実施例では、制御部４３は、ブラシモータ４１をＢ１よりも低いＢ２（約３．０ｒｐｍ）の回転数で回転すると共に、送りモータ４２は通常運転と同じのＦ１（約５．０ｒｐｍ）の回転数で、清掃運転を行うことで、通常運転に於けるフイルタ清掃運転よりもブラシモータ４１の発生する騒音を小さくでき、騒音によって安眠を妨げることを防止する。これによって、通常のフィルタ清掃運転に比較して、ブラシ１９の回転速度は落ちるが、清掃時間は通常と同じなので、除去能力は低下するが、ＯＦＦタイマ運転停止時のフィルタ清掃運転の騒音を小さくでき、通常運転と同じ時間でフィルタ清掃運転を速やかに終了することができ、騒音によって安眠を妨げることを防止する。
【００４８】
第３の実施例では、制御部４３は、送りモータ４２をＦ１よりも低いＦ２（約２．５ｒｐｍ）の回転数で回転すると共に、ブラシモータ４１は通常運転と同じのＢ１（約６．０ｒｐｍ）の回転数で、清掃運転を行うことで、通常運転に於けるフイルタ清掃運転よりも送りモータ４２の発生する騒音を小さくでき、騒音によって安眠を妨げることを防止する。これによって、通常のフィルタ清掃運転に比較して、ブラシの回転速度は通常と同じで、清掃時間が通常の２倍になるが、ＯＦＦタイマ運転停止時のフィルタ清掃運転の騒音を小さくでき、通常運転より長い時間清掃をすることで丁寧な清掃をすることができる。
【００４９】
これまでの説明および図面では、室内機１の右側と左側に２枚のエアフィルタ１０と、それぞれのエアフィルタ１０に対応するフイルタ清掃手段を２セット備えており、
右側と左側のフイルタ清掃手段（ブラシモータ４１、送りモータ４２等）は同時に作動するが、第４の実施例では、制御部４３は、左右の清掃動作を同時に実施せずに、どちらか一方のエアフィルタ１０の清掃動作終了後に、他方の清掃動作を実施することで、全体の清掃時間は長くなるが騒音の発生量を、左右の清掃動作を同時に実施した場合の約１／２にすることができ、更なる騒音の低減ができる。また、大きな部屋で使用する、出力の大きな空気調和機で３枚以上のエアフィルタ１０を使用する場合でも、１セットの清掃動作終了後に、順次清掃動作を実施することで、騒音の低減ができる。
【００５０】
以上のように、第１の実施例では、通常のフィルタ清掃運転に比較して、ブラシの回転速度が落ちることで、エアフィルタ１０に付着した塵埃を掻き落とす力は小さくなるが、清掃時間が２倍の長さになるので、エアフィルタ１０に付着した塵埃を除去する能力は、ほとんど変化させずに、ＯＦＦタイマ運転停止時のフィルタ清掃運転の騒音を小さくでき、騒音によって安眠を妨げることを防止できる。
【００５１】
また、ＯＦＦタイマ運転時にエアフィルタ１０を自動清掃する積算時間が満了した場合でも、タイマ運転停止時に確実にエアフィルタ１０の自動清掃を実施するので、エアフィルタ１０に過大な量の塵埃が付着した状態で自動清掃を実施することで発生するフィルタ清掃装置の故障を防止できる。
【００５２】
また、第２の実施例では、通常のフィルタ清掃運転に比較して、ブラシ１９の回転速度は落ちるが、清掃時間は通常と同じなので、除去能力は低下するが、ＯＦＦタイマ運転停止時のフィルタ清掃運転の騒音を小さくでき、通常運転と同じ時間でフィルタ清掃運転を速やかに終了することができ、騒音によって安眠を妨げることを防止できる。
【００５３】
また、第３の実施例では、通常のフィルタ清掃運転に比較して、ブラシ１９の回転速度は通常と同じで、清掃時間が通常の２倍になるが、ＯＦＦタイマ運転停止時のフィルタ清掃運転の騒音を小さくでき、通常運転より長い時間清掃をすることで丁寧な清掃をすることができる。
【００５４】
また、第４の実施例では、複数セットの清掃動作を同時に実施せずに、１セットの清掃動作終了後に、順次清掃動作を実施することで、全体のエアフィルタの清掃時間は長くなるが、複数セットの清掃動作が重複することで騒音が大きくなることを防止することができる。
【００５５】
なお、本実施形態ではわかりやすく説明するために、ＯＦＦタイマ運転でのフイルタ清掃時における送りモータ４２の回転数Ｂを、通常運転での回転数Ｂの半分で説明したが、使用するモータの種類や性能に応じて適宜することで更なる騒音の低減をすることができる。また、ＯＦＦタイマ運転でのフイルタ清掃時におけるブラシモータ４１の回転数Ｆを、通常運転での回転数Ｆの半分で説明したが使用するモータの種類や性能に応じて適宜することで更なる騒音の低減をすることができる。
【００５６】
また、本実施形態で用いたその他の構成は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５７】
１    室内機
７    吸込口
８    吹出口
９    空気通路
１０    エアフィルタ
１１    熱交換器
１２    送風ファン
１９    ブラシ（フィルタ清掃手段）
３０    駆動歯車（フィルタ清掃手段）
４１    ブラシモータ（フィルタ清掃手段）
４２    送りモータ（フィルタ清掃手段）
８３    クシ歯（フィルタ清掃手段）
１２７  湿度センサ
１４０  リモコン
１４１  自動清掃スイッチ
１４２  タイマスイッチ
【図１】
2019086226.tif 000003
【図２】
2019086226.tif 000004
【図３】
2019086226.tif 000005
【図４】
2019086226.tif 000006
【図５】
2019086226.tif 000007
【図６】
2019086226.tif 000008
【図７】
2019086226.tif 000009
【図８】
2019086226.tif 000010
【図９】
2019086226.tif 000011
【図１０】
2019086226.tif 000012
【図１１】
2019086226.tif 000013
【図１２】
2019086226.tif 000014
【図１３】
2019086226.tif 000015
【図１４】
2019086226.tif 000016
【図１５】
2019086226.tif 000017
【図１６】
2019086226.tif 000018
【図１７】
2019086226.tif 000019
【図１８】
2019086226.tif 000020
【図１９】
2019086226.tif 000021
【図２０】
2019086226.tif 000022
【図２１】
2019086226.tif 000023
【図２２】
2019086226.tif 000024